(57)【要約】      （修正有）【課題】収納体の引き出し時にも、転倒する事のない加熱調理器を提供する。【解決手段】本体１内に食品または食品を調理する容器などの被加熱物６を収容して加熱調理を行う加熱調理器において、本体１の上面に設けられた上面扉３と、本体１の正面に設けられ、被加熱物６を前後方向に摺動させる引き出し式の正面扉４と、上面扉３と正面扉４のいずれか一方のみを開閉可能とする開閉可能扉選択手段Ａとを備える。【選択図】図３
2006046777.tif 000002
【特許請求の範囲】
【請求項１】
本体内に食品または食品を調理する容器などの被加熱物を収容して加熱調理を行う加熱調理器において、
本体上面に設けられた上面扉と、
本体正面に設けられ、前記被加熱物を前後方向に摺動させる引き出し式の正面扉と、
前記上面扉と前記正面扉のいずれか一方のみを開閉可能とする開閉可能扉選択手段とを備えることを特徴とする加熱調理器。
【請求項２】
本体の固定を検知する固定検知手段を備え、
前記開閉可能扉選択手段は、前記固定検知手段によって本体の固定が検知されていない場合に、前記上面扉のみを開閉可能とすると共に、前記固定検知手段によって本体の固定が検知された場合に、前記正面扉のみを開閉可能とすることを特徴とする請求項１記載の加熱調理器。
【請求項３】
前記固定検知手段は、本体固定用ネジの装着の有無を検知することを特徴とする請求項２記載の加熱調理器。
【請求項４】
前記固定検知手段は、本体上面への他の機器の積載の有無を検知することを特徴とする請求項２記載の加熱調理器。
【請求項５】
使用者による開閉可能扉の選択を受け付ける任意選択手段を備え、
前記開閉可能扉選択手段は、前記任意選択手段で受け付けた選択結果に基づいて、開閉可能扉を決定することを特徴とする請求項１記載の加熱調理器。
【請求項６】
本体内に食品または食品を調理する容器などの被加熱物を収容して加熱調理を行う加熱調理器において、
本体上面に設けられた上面扉と、
本体正面に設けられ、前記被加熱物を前後方向に摺動させる引き出し式の正面扉と、
前記正面扉を閉状態でロックする正面扉ロック手段とを備えることを特徴とする加熱調理器。
【請求項７】
本体の固定を検知する固定検知手段を備え、
前記正面扉ロック手段は、前記固定検知手段によって本体の固定が検知された場合に、前記正面扉のロックを解除することを特徴とする請求項６記載の加熱調理器。
【請求項８】
前記固定検知手段は、本体固定用ネジの装着の有無を検知することを特徴とする請求項７記載の加熱調理器。
【請求項９】
前記固定検知手段は、本体上面への他の機器の積載の有無を検知することを特徴とする請求項７記載の加熱調理器。
【発明の詳細な説明】
【技術分野】
【０００１】
本発明は、食品等を本体内に収容して加熱調理する加熱調理器に関するものである。
【背景技術】
【０００２】
従来の加熱調理器としては、引き出し収納体を備える加熱調理器を安定して設置できるようにするため、収納体の引き出し動作に合わせて加熱調理器本体の底面に設けられた吸着手段の内部空気を減圧し、加熱調理器を設置面に吸着するものが知られている。（例えば、特許文献１参照）
【０００３】
【特許文献１】特開平６−３２３５４７号公報（第３頁、第１図）
【発明の開示】
【発明が解決しようとする課題】
【０００４】
しかしながら、従来の加熱調理器は、設置面がテーブルクロスなどの布上の場合、細かい隙間の生じる木目板上の場合、あるいは、ざらざらした面上の場合、設置面と吸着手段との間で、十分な密着性を保つことができず、収納体の引き出し時に機器が転倒してしまうおそれがあった。
【０００５】
本発明は、上述のような課題を解決するためになされたもので、収納体の引き出し時にも、本体が転倒することのない加熱調理器を提供することを目的とする。
【課題を解決するための手段】
【０００６】
本発明に係る加熱調理器は、本体内に食品または食品を調理する容器などの被加熱物を収容して加熱調理を行う加熱調理器において、本体上面に設けられた上面扉と、本体正面に設けられ、前記被加熱物を前後方向に摺動させる引き出し式の正面扉と、上面扉と正面扉のいずれか一方のみを開閉可能とする開閉可能扉選択手段とを備えることを特徴とする。
【発明の効果】
【０００７】
本発明は、上面扉と正面扉のいずれか一方のみを開閉可能とする開閉可能扉選択手段を備えている。そのため、本体が固定されていない場合には、開閉可能扉選択手段によって上面扉のみを開閉可能とすることにより、正面扉を引き出すことができなくなる。その結果、正面扉の引き出しにより、本体のバランスが崩れ、本体が転倒するといった事態を未然に防止することができる。
【発明を実施するための最良の形態】
【０００８】
以下、本発明に係る加熱調理器の好適な実施の形態について添付図面を参照して説明する。
実施の形態１．
図１，２は、本実施の形態に係る加熱調理器の外観を示す斜視図である。なお、図１では、説明容易のために、本体１の右側面の一部を切り欠いているが、実際には、図２に示すように、切欠き部分は存在しない。
【０００９】
図１，２に示すように、本実施の形態の加熱調理器は、本体１の上面に設けられ、後端のヒンジ２を支点として上方に開く上面扉３と、本体１の正面に設けられ、前後方向に摺動させる引き出し式の正面扉４とを備えている。正面扉４の背面には、矩形板状の調理容器保持具５が固定され、調理容器保持具５の中央に設けられた開口には、例えば炊飯用釜といった調理容器（被加熱物）６を載置することができる。また、調理容器保持具５の両側端は、本体１の内側面に設けられたガイド７ａ，７ｂに保持され、前後方向に摺動可能となっている。
【００１０】
その結果、図１に示すように、正面扉４が閉じた状態で上面扉３を開いた場合、調理容器６の本体１への収容、調理容器６の本体１からの取り出し等を行うことができる。また、図２に示すように、上面扉３が閉じた状態で正面扉４を引き出した場合、正面扉４の後面に固定された調理容器保持具５がガイド７ａ，７ｂに沿って前方に摺動し、調理容器保持具５に載置された調理容器６が本体１より引き出される。そして、この状態で、調理容器６の調理容器保持具５への取り付け、調理容器６の調理容器保持具５からの取り外し等を行うことができる。
なお、調理容器６は、炊飯用釜に限定されることなく、シチューやカレーなどを煮込む煮込用鍋、天ぷら用鍋などでもよく、食パンやピザなどを焼くためのプレートであってもよい。
【００１１】
図３に示すように、調理容器６の下方には、加熱手段８（ここではＩＨ加熱コイルを例としたが、これに限定されるものではない）が設けられ、この加熱手段８によって調理容器６は加熱される。
また、上面扉３の裏面後部には、上面扉ストッパ９が設けられ、調理容器保持具５の裏面後部には、正面扉ストッパ１０が設けられている。本体１の後部には、リンク押し具（固定検知手段）１１が設置され、リンク押し具１１は、上下端に設けられたリンク押し具ガイド１２ａ，１２ｂに沿って、前後方向に摺動する。リンク押し具１１は、不図示の弾性体により後方に向けて付勢されているため、通常は、リンク押し具ガイド１２ａ、１１ｂの後端に位置する（この状態が、リンク押し具１１によって本体１の固定が検知されていない状態である）。
【００１２】
リンク押し具１１には、上面扉用リンク１３の基端および正面扉用リンク１４の基端が、上下方向に摺動可能に取り付けられ、上面扉用リンク１３の先端は上面扉ストッパ９の近傍に延在し、正面扉用リンク１４の先端は正面扉ストッパ１０の近傍に延在している。上面扉用リンク１３および正面扉用リンク１４の先端は、それぞれ鉤状に屈曲している。また、上面扉用リンク１３の中央部分は、上面扉用リンク支点１５で支持されており、上面扉用リンク１３の基端が前方に押し出されると、上面扉用リンク支点１５を軸として上面扉用リンク１３の先端は上方に移動する。同様に、正面扉用リンク１４の中央部分は正面扉用リンク支点１６で支持されており、正面扉用リンク１４の基端が前方に押し出されると、正面扉用リンク支点１６を軸として正面扉用リンク１４の先端は下方に移動する。
【００１３】
なお、上面扉ストッパ９、正面扉ストッパ１０、上面扉用リンク１３、および正面扉用リンク１４により、開閉可能扉選択手段Ａが構成される。
【００１４】
次に、本実施の形態の動作を説明する。図４は、本実施の形態の加熱調理器を単独で使用する場合を示しており、本体１は、システムキッチンの枠体等に固定されていない。この状態では、リンク押し具１１は後方に配置されるため、上面扉用リンク１３および正面扉用リンク１４の基端は、それぞれ後方に位置する。そして、上面扉用リンク１３の先端は上面扉ストッパ９の下方に位置するため、上面扉３は開閉可能となる。これに対して、正面扉用リンク１４の鉤状の先端は、正面扉ストッパ１０に係止するため、正面扉４はロックされて、前方への引き出しが不可となる。
【００１５】
ここで、もし、単独使用時に正面扉４を引き出して、調理容器６内の食物を取り出すべく、しゃもじ等で荷重をかける動作を行うと、加熱調理器の本体１は前側に転倒するおそれがある。しかし、本実施の形態のように、単独使用時（すなわち、本体１が固定されていない状態での使用時）には、正面扉４が引き出せない構成とすることにより、本体１の転倒のおそれがなくなり、操作の安全性が向上する。
【００１６】
次に、本実施の形態に係る加熱調理器をシステムキッチン（不図示）にビルトインする場合について、図５を用いて説明する。加熱調理器をシステムキッチンに設置する場合、固定用治具１７によって加熱調理器の本体１をシステムキッチンの枠体に固定する。本実施の形態では、本体１の背面を固定する例を説明する。Ｌ字状の固定用治具１７は、基部がシステムキッチンの枠体に固定され、起立部が本体１の背面にネジ（本体固定用ネジ）１８で固定されている。本体１の背面には、リンク押し具１１の対向位置にネジ孔が設けられているので、ネジ１８がネジ孔に押し込まれることにより、ネジ１８の先端がリンク押し具１１を前方に押圧する。
【００１７】
ネジ１８の押圧によって、リンク押し具１１は前方に移動し、上面扉用リンク１３および正面扉用リンク１４の基端がそれぞれ前方に押し出される（この状態が、リンク押し具１１によって本体１の固定が検知された状態である）。このため、上面扉用リンク１３の先端は、上面扉用リンク支点１５を軸として上方に移動し、上面扉用リンク１３の鉤状の先端が上面扉ストッパ９に係止するため、上面扉３はロックされて、開閉不可となる。これに対して、正面扉用リンク１４の先端は、正面扉用リンク支点１６を軸として下方に移動し、正面扉４のロックが解除されて、前方への引き出しが可能となる。
【００１８】
その結果、図６に示すように、正面扉４を引き出すことが可能となり、調理用保持具５がガイド７ａ、７ｂに支持支されて摺動し、調理容器６が本体１の外へ引き出される。このように、加熱調理器の本体１は、固定用治具１７で固定されているので、調理容器２にしゃもじ等を入れて操作しても、本体１が転倒するおそれがなく、操作の安全性が向上する。
【００１９】
なお、本実施の形態では、システムキッチンにビルトインする場合について説明したが、加熱調理器の上に別の機器を積み上げて使用する場合も、上下の機種を固定用治具１７とネジ１８で固定することにより、同様の効果を得ることができる。また、単独使用の場合でも、固定用治具１７で本体１と設置台を固定すれば、同様の効果を得ることができ、正面扉４の開閉による操作が可能となる。
【００２０】
さらに、本実施の形態では、固定用治具１７とネジ１８を加熱調理器の背面に設けたが、側面などの他の位置でも、同様のリンク機構を設けることで、同様の効果を得ることができる。
【００２１】
また、本実施の形態では、ネジ１８の有無で開閉可能扉を選択したが、図７及び図８に示すように、使用者がボタン（任意選択手段）１９を押すことで開閉可能扉を任意に選択できる構成としてもよい。図７はボタン１９が押されていない状態、図８は押されている状態を示している。動作についてはこれまでの説明と同一であり省略する。
【００２２】
さらに、リンク押し具１１の代わりに、電気式スイッチ（固定検出手段）を配置し、ネジ１８の有無またはボタン１９の押圧の有無を電気式スイッチで検出し、上面扉３、正面扉４のロックおよびロック解除を、電気式スイッチからの信号に基づいて電磁ロック機構（開閉可能扉選択手段）で行ってもよい。
【００２３】
また、本体１の上面に他の機器を積載して使用する場合には、本体１の上面に電気式スイッチ（固定検出手段）を設け、本体１の上面に別の機器が積載された際に、電気式スイッチが押圧されるように構成してもよい。例えば、別の機器との間に位置合わせ用の凹凸部が設けられている場合、凸部が凹部に入り込んだ際に電気式スイッチが押圧される構成としてもよい。そして、電気式スイッチからの信号に基づいて、上面扉３、正面扉４のロックおよびロック解除を、電磁ロック機構（開閉可能扉選択手段）で行ってもよい。
【００２４】
実施の形態２．
次に、実施の形態２に係る加熱調理器を説明する。図９は、実施の形態２に係る加熱調理器の構造を示す断面図である。加熱調理器の本体１内には、調理容器６が収容され、調理容器６は加熱手段８によって加熱される。本体１の上面には、後端のヒンジ２を支点として上方に開く上面扉３が設けられ、本体１の正面には、前後方向に摺動させる引き出し式の正面扉４が設けられている。また、正面扉４の背面に固定された調理容器保持具５には、例えば炊飯用釜といった調理容器（被加熱物）を載置することができ、調理容器保持具５は、ガイド７ａ，７ｂに沿って摺動し、本体１から調理容器６を引き出すことができる。
なお、調理容器６は、炊飯用釜に限定されることなく、シチューやカレーなどを煮込む煮込用鍋、天ぷら用鍋などでもよく、食パンやピザなどを焼くためのプレートであってもよい。
【００２５】
調理容器保持具５の裏面後部には、正面扉ストッパ１０が設けられている。また、本体１の後部には、リンク押し具（固定検知手段）１１が設置され、リンク押し具１１は、上下端に設けられたリンク押し具ガイド１２ａ、１２ｂに沿って、前後方向に摺動する。リンク押し具１１は、不図示の弾性体により後方に向けて付勢されているため、通常は、リンク押し具ガイド１２ａ、１１ｂの後端に位置する（この状態が、リンク押し具１１によって本体１の固定が検知されていない状態である）。
【００２６】
リンク押し具１１には、正面扉用リンク１４の基端が上下方向に摺動可能に取り付けられ、正面扉用リンク１４の先端は正面扉ストッパ１０の近傍に延在している。正面扉用リンク１４の先端は、鉤状に曲げられている。正面扉用リンク１４の中央部分は、正面扉用リンク支点１６で支持されており、正面扉用リンク１４の基端が前方に押し出されると、正面扉用リンク支点１６を軸として正面扉用リンク１４の先端は下方に移動する。
【００２７】
次に、本実施の形態の動作を説明する。図９は、本実施の形態の加熱調理器を単独で使用する場合を示しており、本体１は、システムキッチンの枠体等に固定されていない。この状態では、リンク押し具１１は後方に配置されるため、正面扉用リンク１４の基端は後方に位置する。この状態では、上面扉３は開閉可能であるものの、正面扉用リンク１４の鉤状の先端は、正面扉ストッパ１０に係止するため、正面扉４はロックされて、前方への引き出しが不可となる。
【００２８】
ここで、もし、単独使用時に正面扉４を引き出して、調理容器６内の食物を取り出すべく、しゃもじ等で荷重をかける動作を行うと、加熱調理器の本体１は前側に転倒するおそれがある。しかし、本実施の形態のように、単独使用時（すなわち、本体１が固定されていない状態での使用時）には、正面扉４が引き出せない構成とすることにより、本体１の転倒のおそれがなくなり、操作の安全性が向上する。
【００２９】
次に、本実施の形態に係る加熱調理器をシステムキッチン（不図示）にビルトインする場合について、図１０を用いて説明する。加熱調理器をシステムキッチンに設置する場合、固定用治具１７によって加熱調理器の本体１をシステムキッチンの枠体に固定する。本実施の形態では、本体１の背面を固定する例を説明する。Ｌ字状の固定用治具１７は、基部がシステムキッチンの枠体に固定され、起立部が本体１の背面にネジ１８で固定されている。本体１の背面には、リンク押し具１１の対向位置にネジ孔が設けられているので、ネジ１８がネジ孔に押し込まれることにより、ネジ１８の先端がリンク押し具１１を前方に押圧する。
【００３０】
ネジ１８の押圧によって、リンク押し具１１は前方に移動し、正面扉用リンク１４の基端が前方に押し出される（この状態が、リンク押し具１１によって本体１の固定が検知された状態である）。このため、正面扉用リンク１４の先端は、正面扉用リンク支点１６を軸として下方に移動し、正面扉４のロックが解除されて、前方への引き出しが可能となる。
【００３１】
その結果、図１０に示すように、正面扉４を引き出すことが可能となり、調理用保持具５がガイド７ａ、７ｂに支えられて摺動し、調理容器６が本体１の外へ引き出される。このように、加熱調理器の本体１は、固定用治具１７で固定されているので、調理容器２にしゃもじ等を入れて操作しても、本体１が転倒するおそれがなく、操作の安全性が向上する。
【００３２】
なお、本実施の形態では、システムキッチンにビルトインする場合について説明したが、加熱調理器の上に別の機器を積み上げて使用する場合も、上下の機種を固定用治具１７とネジ１８で固定することにより、同様の効果を得ることができる。また、単独使用の場合でも、固定用治具１７で本体１と設置台を固定すれば、同様の効果を得ることができ、正面扉４の開閉による操作が可能となる。
【００３３】
さらに、本実施の形態では、固定用治具１７とネジ１８を加熱調理器の背面に設けたが、側面などの他の位置でも、同様のリンク機構を設計することで、同様の効果を得ることができる。
【００３４】
また、本実施の形態では、ネジ１８の有無で開閉可能扉を選択したが、図１１及び図１２に示すように、使用者がボタン（任意選択手段）１９を押すことで開閉可能扉を任意に選択できる構成としてもよい。図１１はボタン１９が押されていない状態、図１２は押されている状態を示している。動作についてはこれまでの説明と同一であり省略する。
【００３５】
さらに、リンク押し具１１の代わりに、電気式スイッチ（固定検出手段）を配置し、ネジ１８の有無またはボタン１９の押圧の有無を電気式スイッチで検出し、正面扉４のロックおよびロック解除を、電気式スイッチからの信号に基づいて電磁ロック機構（開閉可能扉選択手段）で行ってもよい。
【００３６】
また、本体１の上面に他の機器を積載して使用する場合には、本体１の上面に電気式スイッチ（固定検出手段）を設け、本体１の上面に別の機器が積載された際に、電気式スイッチが押圧されるように構成してもよい。例えば、別の機器との間に位置合わせ用の凹凸部が設けられている場合、凸部が凹部に入り込んだ際に電気式スイッチが押圧される構成としてもよい。そして、電気式スイッチからの信号に基づいて、正面扉４のロックおよびロック解除を、電磁ロック機構（開閉可能扉選択手段）で行ってもよい。
【図面の簡単な説明】
【００３７】
【図１】実施の形態１に係る加熱調理器の外観を示す斜視図である。
【図２】実施の形態１に係る加熱調理器の外観を示す斜視図である。
【図３】実施の形態１に係る加熱調理器の構造を示す断面図である。
【図４】実施の形態１に係る加熱調理器の構造を示す断面図である。
【図５】実施の形態１に係る加熱調理器の構造を示す断面図である。
【図６】実施の形態１に係る加熱調理器の構造を示す断面図である。
【図７】実施の形態１に係る加熱調理器の構造を示す断面図である。
【図８】実施の形態１に係る加熱調理器の構造を示す断面図である。
【図９】実施の形態２に係る加熱調理器の構造を示す断面図である。
【図１０】実施の形態２に係る加熱調理器の構造を示す断面図である。
【図１１】実施の形態２に係る加熱調理器の構造を示す断面図である。
【図１２】実施の形態２に係る加熱調理器の構造を示す断面図である。
【符号の説明】
【００３８】
１…本体、２…ヒンジ、３…上面扉、４…正面扉、５…調理容器保持具、６…調理容器（被加熱物）、７ａ，７ｂ…ガイド、８…加熱手段、９…上面扉ストッパ、１０…正面扉ストッパ、１１…リンク押し具（固定検知手段）、１２ａ，１２ｂ…リンク押し具ガイド、１３…上面扉用リンク、１４…正面扉用リンク、１５…上面扉用リンク支点、１６…正面扉用リンク支点、１７…固定用治具、１８…ネジ（本体固定用ネジ）、１９…ボタン（任意選択手段）、Ａ…開閉可能扉選択手段。
【図１】
2006046777.tif 000003
【図２】
2006046777.tif 000004
【図３】
2006046777.tif 000005
【図４】
2006046777.tif 000006
【図５】
2006046777.tif 000007
【図６】
2006046777.tif 000008
【図７】
2006046777.tif 000009
【図８】
2006046777.tif 000010
【図９】
2006046777.tif 000011
【図１０】
2006046777.tif 000012
【図１１】
2006046777.tif 000013
【図１２】
2006046777.tif 000014